(57)【要約】  実施形態の接続部材は、積層方向に積層される２つの二次電池を接続する。二次電池のそれぞれは、積層方向に交差する第１の交差方向に沿う側壁、周方向について側壁が延設される範囲に設けられる端子、及び、側壁から外側へ突出するフランジを備える。接続部材の一対のコネクタ部のそれぞれは、二次電池の対応する一方において、積層方向及び第１の交差方向に交差する第２の交差方向について外側から、端子に面接触する。中継部は、段差によって、コネクタ部に比べて第２の交差方向について外側に位置し、二次電池の一方のフランジの外側を通って、コネクタ部の間を中継する。
2019234835.tif 000002
【特許請求の範囲】
【請求項１】
積層方向に互いに対して隣り合って第１の二次電池及び第２の二次電池が積層され、
前記第１の二次電池及び前記第２の二次電池のそれぞれは、金属から形成される第１の外装部材及び第２の外装部材、正極及び負極を備える電極群、及び、一対の端子を備え、
前記第１の二次電池及び前記第２の二次電池のそれぞれでは、
前記第１の外装部材は、底壁、前記積層方向に交差する第１の交差方向に沿う一対の第１の側壁、及び、前記積層方向に交差し、かつ、前記第１の交差方向に交差する第２の交差方向に沿う一対の第２の側壁を有するとともに、前記底壁、前記第１の側壁、及び、前記第２の側壁によって、前記電極群を収納する収納空間を規定し、
前記第１の外装部材は、前記底壁とは反対側において前記第１の側壁及び前記第２の側壁に対して外側へ突出するフランジを備え、
前記第２の外装部材は、前記収納空間の開口を塞ぐ状態で前記フランジに対向し、
前記端子のそれぞれは、前記第１の外装部材の外表面に取付けられるとともに、前記開口の周方向について前記第１の側壁の対応する一方が延設される範囲に、設けられ、
前記第１の二次電池及び前記第２の二次電池は、前記第１の二次電池の前記第２の外装部材が前記第２の二次電池の前記底壁と対向する状態で配置される、
構成において、前記第１の二次電池と前記第２の二次電池との間を電気的に接続する接続部材であって、
前記第１の二次電池の前記端子の一方である対象端子に、前記第２の交差方向について外側から面接触し、前記第１の交差方向に沿って延設される第１のコネクタ部と、
前記第２の二次電池の前記端子の中で、前記第２の交差方向について前記第１の二次電池及び前記第２の二次電池の前記収納空間に対して前記第１の二次電池の前記対象端子と同一の側に位置する一方である対象端子に、前記第２の交差方向について外側から面接触し、前記第１の交差方向に沿って延設される第２のコネクタ部と、
前記第１の交差方向について前記第１の二次電池及び前記第２の二次電池の前記対象端子から離れた位置に設けられ、前記第２の交差方向について前記第１の二次電池の前記フランジより外側を通って前記第１のコネクタ部と前記第２のコネクタ部とを中継する第１の中継部と、
前記第１のコネクタ部と前記第１の中継部との間に設けられ、前記第１の中継部を前記第１のコネクタ部に比べて、前記第２の交差方向について外側に位置させる第１の段差と、
前記第２のコネクタ部と前記第１の中継部との間に設けられ、前記第１の中継部を前記第２のコネクタ部に比べて、前記第２の交差方向について外側に位置させる第２の段差と、
を具備する、接続部材。
【請求項２】
前記第１の交差方向について前記第１の二次電池及び前記第２の二次電池の前記対象端子に対して前記第１の中継部とは反対側に離れた位置に設けられ、前記第２の交差方向について前記第１の二次電池の前記フランジより外側を通って前記第１のコネクタ部と前記第２のコネクタ部とを中継する第２の中継部と、
前記第１のコネクタ部と前記第２の中継部との間に設けられ、前記第２の中継部を前記第１のコネクタ部に比べて、前記第２の交差方向について外側に位置させる第３の段差と、
前記第２のコネクタ部と前記第２の中継部との間に設けられ、前記第２の中継部を前記第２のコネクタ部に比べて、前記第２の交差方向について外側に位置させる第４の段差と、
をさらに具備する、請求項１の接続部材。
【請求項３】
前記第１のコネクタ部は、前記第１の二次電池の前記対象端子に溶接され、
前記第２のコネクタ部は、前記第２の二次電池の前記対象端子に溶接される、
請求項１又は２の接続部材。
【請求項４】
前記第１の段差及び前記第２の段差は、前記第１の交差方向について、前記第１の二次電池及び前記第２の二次電池の前記対象端子に対して外側に位置する、請求項１乃至３のいずれか１項の接続部材。
【請求項５】
請求項１乃至４のいずれか１項の接続部材と、
前記第１の二次電池と、
前記第２の二次電池と、
を具備する、電池パック。
【請求項６】
前記第１の二次電池及び前記第２の二次電池のそれぞれでは、前記フランジ及び前記第２の外装部材は、前記端子に比べて、前記第２の交差方向について外側へ突出する、請求項５の電池パック。
【請求項７】
前記第１の二次電池及び前記第２の二次電池のそれぞれでは、
前記第１の外装部材は、前記底壁に対して傾斜する一対の傾斜面を備え、
前記傾斜面のそれぞれは、前記底壁と前記第１の側壁の対応する一方との間に設けられるとともに、前記底壁との交差部分が鈍角になり、かつ、前記第１の側壁の対応する一方との交差部分が鈍角になる状態に、傾斜し、
前記端子のそれぞれは、前記傾斜面の対応する一方に取付けられる、
請求項５又は６の電池パック。
【請求項８】
前記第１の二次電池及び前記第２の二次電池のそれぞれでは、前記傾斜面のそれぞれは、前記第２の側壁の間に、前記第１の交差方向に沿って連続する、請求項７の電池パック。
【請求項９】
前記第１の二次電池及び前記第２の二次電池のそれぞれでは、前記端子のそれぞれは、前記傾斜面の対応する一方において外側へ突出する頭部を備え、
前記第１の二次電池及び前記第２の二次電池のそれぞれでは、前記端子のそれぞれの前記頭部は、
前記底壁に平行な第１の端子面と
前記第１の端子面から前記フランジが位置する側へ延設され、前記第１の側壁の対応する一方に平行な第２の端子面と、
前記第１の端子面と前記第２の端子面との間に延設され、前記傾斜面の対応する一方に平行な第３の端子面と、
を備え、
前記第１のコネクタ部は、前記第１の二次電池の前記対象端子の前記第２の端子面に面接触し、
前記第２のコネクタ部は、前記第２の二次電池の前記対象端子の前記第２の端子面に面接触する、
請求項７又は８の電池パック。
【請求項１０】
前記第１の二次電池及び前記第２の二次電池のそれぞれでは、前記端子のそれぞれの前記第１の交差方向についての寸法は、前記第２の側壁の間の前記第１の交差方向についての寸法の２７％以上６０％以下である、請求項５乃至９のいずれか１項の電池パック。
【請求項１１】
前記第１の二次電池及び前記第２の二次電池のそれぞれでは、前記端子のそれぞれの前記第１の交差方向についての寸法は、２３ｍｍ以上５０ｍｍ以下である、請求項５乃至１０のいずれか１項の電池パック。
【請求項１２】
前記第１の二次電池及び前記第２の二次電池のそれぞれは、一対の絶縁部材を備え、
前記第１の二次電池及び前記第２の二次電池のそれぞれでは、
前記絶縁部材のそれぞれは、前記第１の外装部材と前記端子の対応する一方との間に介在し、
前記端子のそれぞれは、前記第１の交差方向について、前記絶縁部材の対応する一方の外縁に対して内側に配置される、
請求項５乃至１１のいずれか１項の電池パック。
【請求項１３】
前記第１の二次電池及び前記第２の二次電池のそれぞれでは、前記絶縁部材の対応する一方である対象絶縁部材が、前記対象端子と前記第１の外装部材との間に介在し、
前記接続部材の前記第１の段差及び前記第２の段差は、前記第１の交差方向について、前記第１の二次電池及び前記第２の二次電池の前記対象絶縁部材の外縁に対して内側に位置する、
請求項１２の電池パック。
【発明の詳細な説明】
【技術分野】
【０００１】
本発明の実施形態は、２つの二次電池の間を電気的に接続する接続部材、及び、その接続部材を備える電池パックに関する。
【背景技術】
【０００２】
一般的に、電池パックでは、複数の二次電池が積層方向に積層され、隣り合って積層される２つの二次電池が、バスバー等の接続部材を介して電気的に接続される。電池パックに設けられる二次電池のそれぞれは、正極及び負極を備える電極群と、電極群を収納する外装部と、外装部の外表面に取付けられる端子と、を備える。そして、電池パックでは、隣り合って積層される２つの二次電池の端子がバスバー等の接続部材を介して接続されることにより、２つの二次電池が、電気的に接続される。【０００３】
また、電池パックに用いられる二次電池として、外装部が２つの外装部材から形成され、２つの外装部材のそれぞれがステンレス鋼等の金属から形成されるものがある。この二次電池では、外装部材の一方である第１の外装部材は、底壁及び側壁を備える底付きの筒状に形成され、底壁及び側壁によって、電極群を収納する収納空間が規定される。そして、収納空間は、底壁とは反対側に開口を有する。また、第１の外装部材では、底壁とは反対側の部位にフランジが形成される。この二次電池では、第２の外装部材は、フランジに対向して配置され、収納空間の開口を塞ぐ。また、フランジ及び第２の外装部材は、開口縁から側壁に対して外側へ突出する。フランジ及び第２の外装部材は、開口縁の外側において、開口の全周に渡って気密に溶接される。フランジ及び第２の外装部材の溶接によって、収納空間が外部に対して封止（密閉）される。【０００４】
電池パックには、フランジ及び第２の外装部材が溶接される前述の二次電池が複数設けられ、二次電池のそれぞれの厚さ方向が積層方向と一致する状態で、二次電池が積層されるものがある。そして、このような電池パックの中には、互いに隣り合って積層される２つの二次電池が、一方の第２の外装部材が他方の底壁と対向する状態で、配置されるものがある。前述のように二次電池が積層される電池パックでは、隣り合って積層される二次電池の間を接続する接続部材が、フランジ及び第２の外装部材の突出部分と干渉せず（接触せず）、かつ、接続部材によって、端子同士を確実に接続することが求められる。
【先行技術文献】
【特許文献】
【０００５】
【特許文献１】国際公開第２０１６／２０４１４７号公報
【発明の概要】
【発明が解決しようとする課題】
【０００６】
本発明が解決しようとする課題は、２つの二次電池を電気的に接続する接続部材であって、端子同士を確実に接続し、かつ、端子以外の部分に干渉しない接続部材、及び、この接続部材を備える電池パックを提供することにある。
【課題を解決するための手段】
【０００７】
実施形態によれば、接続部材は、積層方向に互いに対して隣り合って積層される第１の二次電池及び第２の二次電池の間を電気的に接続する。第１の二次電池及び第２の二次電池のそれぞれは、金属から形成される第１の外装部材及び第２の外装部材、正極及び負極を備える電極群、及び、一対の端子を備える。第１の二次電池及び第２の二次電池のそれぞれでは、第１の外装部材は、底壁、積層方向に交差する第１の交差方向に沿う一対の第１の側壁、及び、積層方向に交差し、かつ、第１の交差方向に交差する第２の交差方向に沿う一対の第２の側壁を有するとともに、底壁、第１の側壁、及び、第２の側壁によって、電極群を収納する収納空間を規定する。また、第１の外装部材は、底壁とは反対側において第１の側壁及び第２の側壁に対して外側へ突出するフランジを備える。そして、第２の外装部材は、収納空間の開口を塞ぐ状態でフランジに対向する。第１の二次電池及び第２の二次電池のそれぞれでは、端子のそれぞれは、第１の外装部材の外表面に取付けられとともに、開口の周方向について第１の側壁の対応する一方が延設される範囲に、設けられる。第１の二次電池及び第２の二次電池は、第１の二次電池の第２の外装部材が第２の二次電池の底壁と対向する状態で配置される。接続部材の第１のコネクタ部は、第１の二次電池の端子の一方である対象端子に、第２の交差方向について外側から面接触する。また、第２の二次電池の端子の中で、第２の交差方向について第１の二次電池及び第２の二次電池の収納空間に対して第１の二次電池の対象端子と同一の側に位置する一方である対象端子に、接続部材の第２のコネクタ部は、第２の交差方向について外側から面接触する。第１のコネクタ部及び第２のコネクタ部のそれぞれは、第１の交差方向に沿って延設される。接続部材の第１の中継部は、第１の交差方向について第１の二次電池及び第２の二次電池の対象端子から離れた位置に設けられ、第２の交差方向について第１の二次電池のフランジより外側を通って第１のコネクタ部と第２のコネクタ部とを中継する。接続部材では、第１のコネクタ部と第１の中継部との間に第１の段差が設けられ、第２のコネクタ部と第１の中継部との間に第２の段差が設けられる。第１の段差は、第１の中継部を第１のコネクタ部に比べて、第２の交差方向について外側に位置させ、第２の段差は、第１の中継部を第２のコネクタ部に比べて、第２の交差方向について外側に位置させる。
【図面の簡単な説明】
【０００８】
【図１】図１は、第１の実施形態に係る電池パックの一例を概略的に示す斜視図である。
【図２】図２は、第１の実施形態に係る二次電池を概略的に示す斜視図である。
【図３】図３は、第１の実施形態に係る電池本体を概略的に示す斜視図である。
【図４】図４は、第１の実施形態に係る電池本体を部材ごとに分解した状態で概略的に示す斜視図である。
【図５】図５は、第１の実施形態に係る電池本体を、厚さ方向について底壁が位置する側から視た状態で示す概略図である。
【図６】図６は、第１の実施形態に係る二次電池を、横方向の一方側から視た状態で示す概略図である。
【図７】図７は、第１の実施形態に係る電極群の構成を説明する概略図である。
【図８】図８は、第１の実施形態に係る二次電池の端子を概略的に示す斜視図である。
【図９】図９は、第１の実施形態に係る二次電池の端子を図８とは異なる方向から視た状態で概略的に示す斜視図である。
【図１０】図１０は、第１の実施形態に係る電池パックにおいて、互いに対して隣り合って積層される二次電池を電気的に接続する構成を概略的に示す斜視図である。
【図１１】図１１は、第１の実施形態に係る電池パックのバスバーを概略的に示す斜視図である。
【図１２】図１２は、第１の変形例に係る電池パックにおいて、互いに対して隣り合って積層される二次電池を電気的に接続する構成を概略的に示す斜視図である。
【図１３】図１３は、第１の変形例に係る電池パックのバスバーを概略的に示す斜視図である。
【図１４】図１４は、第２の変形例に係る電池パックにおいて、互いに対して隣り合って積層される二次電池を電気的に接続する構成を概略的に示す斜視図である。
【発明を実施するための形態】
【０００９】
以下、実施形態について図１乃至図１４を参照して説明する。
【００１０】
（第１の実施形態）  
図１は、第１の実施形態の電池パック７０の一例を示す。図１に示すように、電池パック７０は、複数の二次電池１を備え、図１の一例では、８つの二次電池１Ａ〜１Ｈを備える。電池パック７０では、二次電池１Ａ〜１Ｈは、積層方向（矢印Ｚ１及び矢印Ｚ２で示す方向）に沿って積層される。なお、二次電池１Ａ〜１Ｈの積層方向は、二次電池１Ａ〜１Ｈが配列される配列方向である。ここで、電池パック７０において、積層方向に対して交差する第１の交差方向（矢印Ｘ１及び矢印Ｘ２で示す方向）、及び、積層方向に対して交差し、かつ、第１の交差方向に対して交差する第２の交差方向（矢印Ｙ１及び矢印Ｙ２で示す方向）を、規定する。本実施形態では、第１の交差方向は、積層方向に対して垂直又は略垂直であり、第２の交差方向は、積層方向に対して垂直又は略垂直で、かつ、第１の交差方向に対して垂直又は略垂直である。
【００１１】
<二次電池>
電池パック７０に設けられる二次電池１の単体について、説明する。なお、図１の一例の二次電池１Ａ〜１Ｈのそれぞれは、以下に説明する二次電池１と同様の構成である。図２は、本実施形態に係る二次電池１を示す。二次電池１は、例えば、非水電解質電池である。図２に示すように、二次電池１は、電池本体２と、電池本体２に取付けられる装着部材５０と、を備える。
【００１２】
図３は、電池本体２を示し、図４は、電池本体２を部材ごとに分解して示す。図２乃至図４に示すように、電池本体２は、外装部３を備える。外装部３は、第１の外装部材５及び第２の外装部材６から形成される。外装部材５，６のそれぞれは、ステンレス鋼等の金属から形成される。外装部材５，６を形成するステンレス鋼以外の金属としては、アルミニウム、アルミニウム合金、炭素鋼、及び、メッキ鋼等が挙げられる。第１の外装部材５は、底付きの筒状に形成される。本実施形態では、第１の外装部材５は、底壁７及び二対の側壁８Ａ，８Ｂ，９Ａ，９Ｂを有し、底付きの略長方形筒状に形成される。第１の外装部材５では、底壁７及び側壁８Ａ，８Ｂ，９Ａ，９Ｂによって、収納空間１１が規定される。収納空間１１には、電極群１０が収納される。
【００１３】
収納空間１１は、底壁７とは反対側に開口１２を有する。ここで、二次電池１において、縦方向（矢印Ｘ３及び矢印Ｘ４で示す方向）、縦方向に対して垂直又は略垂直な（交差する）横方向（矢印Ｙ３及び矢印Ｙ４で示す方向）、及び、縦方向に対して垂直又は略垂直で（交差し）、かつ、横方向に対して垂直又は略垂直な（交差する）厚さ方向（矢印Ｚ３及び矢印Ｚ４で示す方向）を規定する。二次電池１では、一対の側壁（第１の側壁）８Ａ，８Ｂのそれぞれは、縦方向に沿って延設され、側壁９Ａから側壁９Ｂまで縦方向に連続する。そして、一対の側壁（第２の側壁）９Ａ，９Ｂのそれぞれは、横方向に沿って延設され、側壁８Ａから側壁８Ｂまで横方向に連続する。側壁８Ａ，８Ｂは、互いに対して対向し、収納空間１１を挟んで互いに対して横方向に離れて配置される。そして、側壁９Ａ，９Ｂは、互いに対して対向し、収納空間１１を挟んで互いに対して縦方向に離れて配置される。また、側壁８Ａ，８Ｂ，９Ａ，９Ｂのそれぞれは、底壁７から開口１２に向かって厚さ方向に沿って延設され、収納空間１１は、開口１２において厚さ方向の一方側（矢印Ｚ４側）に向かって開口する。そして、開口１２の開口面は、縦方向及び横方向に対して平行又は略平行になる。
【００１４】
図５は、電池本体２を、二次電池１の厚さ方向について底壁７が位置する側（矢印Ｚ３側）から視た状態で示す。また、図６は、二次電池１を、横方向の一方側（例えば矢印Ｙ３側）から視た状態で示す。図２乃至図６に示すように、第１の外装部材５では、底壁７とは反対側の部位に、フランジ１３が設けられる。フランジ１３は、開口１２の周方向について全周に渡って、開口１２の開口縁１５を規定する。また、フランジ１３は、開口１２の周方向について全周に渡って、開口縁１５から外側に突出する。このため、フランジ１３は、開口１２の開口面に平行な方向について開口１２から離れる側に、側壁８Ａ，８Ｂ，９Ａ，９Ｂに対して、突出する。
【００１５】
なお、本実施形態では、二次電池１の厚さ方向に垂直又は略垂直な断面において側壁８Ａ，８Ｂ，９Ａ，９Ｂに囲まれる領域は、長方形状又は略長方形状であるが、これに限るものではない。ある実施例では、二次電池１の厚さ方向に垂直又は略垂直な断面において側壁に囲まれる領域が、例えば、長方形状以外の多角形状又は楕円形状等に形成されてもよい。
【００１６】
本実施形態では、第２の外装部材６は、板状の部材であり、例えば、略長方形状に形成される。第２の外装部材６は、フランジ１３に対向して配置され、開口１２が開口する側からフランジ１３に取付けられる。本実施形態では、第２の外装部材６は、開口１２の周方向の全周に渡って、開口縁１５から外側に突出する。したがって、第２の外装部材６は、開口１２の開口面に平行な方向について開口１２から離れる側に、側壁８Ａ，８Ｂ，９Ａ，９Ｂに対して、突出する。開口縁１５より外側の領域では、開口１２の周方向の全周に渡って、第２の外装部材６がフランジ１３と対向する。また、第２の外装部材６は、収納空間１１の開口１２を塞ぐ。本実施形態では、板状の第２の外装部材６の厚さ方向は、二次電池１（電池本体２）の厚さ方向と一致又は略一致する。
【００１７】
なお、底壁７から開口１２までの距離は、側壁８Ａ，８Ｂの間の距離、及び、側壁９Ａ，９Ｂの間の距離のそれぞれに比べて、遥かに小さい。そして、二次電池１では、厚さ方向についての寸法が、縦方向についての寸法、及び、横方向についての寸法のそれぞれに比べて、遥かに小さい。また、本実施形態では、側壁８Ａ，８Ｂの間の距離が、側壁９Ａ，９Ｂの間の距離に比べて大きく、二次電池１では、横方向についての寸法が、縦方向についての寸法に比べて、大きい。ここで、側壁（第１の側壁）８Ａ，８Ｂの間の距離は、二次電池１の横方向についての収納空間１１（開口１２）の寸法に、相当する。そして、側壁（第２の側壁）９Ａ，９Ｂの間の距離は、二次電池１の縦方向についての収納空間１１（開口１２）の寸法に、相当する。そして、底壁７から開口１２までの距離は、二次電池１の厚さ方向についての収納空間１１の寸法に相当する。
【００１８】
また、ある実施例では、第１の外装部材５は、底壁７、側壁８Ａ，８Ｂ，９Ａ，９Ｂ及びフランジ１３のそれぞれにおいて、０．０２ｍｍ以上０．３ｍｍ以下の肉厚である。そして、板状の第２の外装部材６は、０．０２ｍｍ以上０．３ｍｍ以下の肉厚である。また、フランジ１３及び第２の外装部材６の開口縁１５（側壁８Ａ，８Ｂ，９Ａ，９Ｂ）から外側への突出寸法は、２ｍｍ以上５ｍｍ以下程度である。すなわち、開口１２の開口縁１５からフランジ１３及び第２の外装部材６のそれぞれの外周端（外縁）までの距離が、２ｍｍ以上５ｍｍ以下程度になる。
【００１９】
図７は、電極群１０の構成を説明する図である。図７に示すように、電極群１０は、例えば、扁平形状に形成され、正極２１と、負極２２と、セパレータ２３，２５と、を備える。正極２１は、正極集電体としての正極集電箔２１Ａと、正極集電箔２１Ａの表面に担持される正極活物質含有層２１Ｂと、を備える。正極集電箔２１Ａは、アルミニウム箔又はアルミニウム合金箔等であり、厚さが１０μｍ〜２０μｍ程度である。正極集電箔２１Ａには、正極活物質、結着剤及び導電剤を含むスラリーが塗布される。正極活物質としては、特に限定されるものではないが、リチウムを吸蔵放出できる酸化物、硫化物及びポリマー等が挙げられる。また、高い正極電位を得られる観点から、正極活物質は、リチウムマンガン複合酸化物、リチウムニッケル複合酸化物、リチウムコバルト複合酸化物及びリチウム燐酸鉄等が、用いられることが好ましい。
【００２０】
負極２２は、負極集電体としての負極集電箔２２Ａと、負極集電箔２２Ａの表面に担持される負極活物質含有層２２Ｂと、を備える。負極集電箔２２Ａは、アルミニウム箔、アルミニウム合金箔又は銅箔等であり、厚さが１０μｍ〜２０μｍ程度である。負極集電箔２２Ａには、負極活物質、結着剤及び導電剤を含むスラリーが塗布される。負極活物質としては、特に限定されるものではないが、リチウムイオンを吸蔵放出できる金属酸化物、金属硫化物、金属窒化物及び炭素材料等が挙げられる。負極活物質としては、リチウムイオンの吸蔵放出電位が金属リチウム電位に対して０．４Ｖ以上となる物質、すなわち、リチウムイオンの吸蔵放出電位が０．４Ｖ（ｖｓ．Ｌｉ＋／Ｌｉ）以上になる物質であることが好ましい。このようなリチウムイオン吸蔵放出電位を有する負極活物質を用いることにより、アルミニウム又はアルミニウム合金とリチウムとの合金反応が抑えられるため、負極集電箔２２Ａ及び負極２２に関連する構成部材に、アルミニウム及びアルミニウム合金を使用可能になる。リチウムイオンの吸蔵放出電位が０．４Ｖ（ｖｓ．Ｌｉ＋／Ｌｉ）以上になる負極活物質としては、例えば、チタン酸化物、チタン酸リチウム等のリチウムチタン複合酸化物、タングステン酸化物、アモルファススズ酸化物、ニオブ・チタン複合酸化物、スズ珪素酸化物、及び、酸化珪素等が挙げられ、リチウムチタン複合酸化物を負極活物質として用いることが、特に好ましい。なお、リチウムイオンを吸蔵放出する炭素材料を負極活物質として用いる場合は、負極集電箔２２Ａは銅箔を用いるとよい。負極活物質として用いられる炭素材料は、リチウムイオンの吸蔵放出電位が０Ｖ（ｖｓ．Ｌｉ＋／Ｌｉ）程度になる。
【００２１】
正極集電箔２１Ａ及び負極集電箔２２Ａに用いられるアルミニウム合金は、Ｍｇ、Ｔｉ、Ｚｎ、Ｍｎ、Ｆｅ、Ｃｕ及びＳｉから選択される１種または２種以上の元素を含むことが望ましい。アルミニウム及びアルミニウム合金の純度は、９８重量％以上にすることができ、９９．９９重量％以上が好ましい。また、純度１００％の純アルミニウムを、正極集電体及び／又は負極集電体の材料として用いることが可能である。アルミニウム及びアルミニウム合金における、ニッケル、クロムなどの遷移金属の含有量は１００重量ｐｐｍ以下（０重量ｐｐｍを含む）にすることが好ましい。
【００２２】
正極集電箔２１Ａでは、一方の長辺縁２１Ｃ及びその近傍部位によって、正極集電タブ２１Ｄが形成される。本実施形態では、正極集電タブ２１Ｄは、長辺縁２１Ｃの全長に渡って形成される。正極集電タブ２１Ｄでは、正極集電箔２１Ａの表面に正極活物質含有層２１Ｂが担持されない。また、負極集電箔２２Ａでは、一方の長辺縁２２Ｃ及びその近傍部位によって、負極集電タブ２２Ｄが形成される。本実施形態では、負極集電タブ２２Ｄは、長辺縁２２Ｃの全長に渡って形成される。負極集電タブ２２Ｄでは、負極集電箔２２Ａの表面に負極活物質含有層２２Ｂが担持されない。
【００２３】
セパレータ２３，２５のそれぞれは、電気的に絶縁性を有する材料から形成され、正極２１と負極２２との間を電気的に絶縁する。セパレータ２３，２５のそれぞれは、正極２１及び負極２２とは別体のシート等であってもよく、正極２１及び負極２２の一方と一体に形成されてもよい。また、セパレータ２３，２５は、有機材料から形成されてもよく、無機材料から形成されてもよく、有機材料と無機材料との混合物から形成されてもよい。セパレータ２３，２５を形成する有機材料としては、エンプラ及びスーパーエンプラが挙げられる。そして、エンプラとしては、ポリアミド、ポリアセタール、ポリブチレンテレフタレート、ポリエチレンテレフタレート、シンジオタクチック・ポリスチレン、ポリカーボネート、ポリアミドイミド、ポリビニルアルコール、ポリフッ化ビニリデン及び変性ポリフェニレンエーテル等が挙げられる。また、スーパーエンプラとしては、ポリフェニレンサルファイド、ポリエーテルエーテルケトン、液晶ポリマー、ポリビニリデンフロライド、ポリテトラフルオロエチレン（ＰＴＦＥ）、ポリエーテルニトリル、ポリサルホン、ポリアクリレート、ポリエーテルイミド及び熱可塑性ポリイミド等が挙げられる。また、セパレータ２３，２５を形成する無機材料としては、酸化物（例えば、酸化アルミニウム、二酸化ケイ素、酸化マグネシウム、リン酸化物、酸化カルシウム、酸化鉄、酸化チタン）、窒化物（例えば、窒化ホウ素、窒化アルミニウム、窒化珪素、窒化バリウム）等が挙げられる。
【００２４】
電極群１０では、正極活物質含有層２１Ｂと負極活物質含有層２２Ｂとの間でセパレータ２３，２５のそれぞれが挟まれた状態で、正極２１、負極２２及びセパレータ２３，２５が捲回軸Ｂを中心として扁平形状に捲回される。この際、例えば、正極２１、セパレータ２３、負極２２及びセパレータ２５は、この順に重ねられた状態で、捲回される。また、電極群１０では、正極集電箔２１Ａの正極集電タブ２１Ｄが、負極２２及びセパレータ２３，２５に対して、捲回軸Ｂに沿う方向の一方側へ突出する。そして、負極集電箔２２Ａの負極集電タブ２２Ｄが、正極２１及びセパレータ２３，２５に対して、捲回軸Ｂに沿う方向について正極集電タブ２１Ｄが突出する側とは反対側に、突出する。電極群１０は、捲回軸Ｂが二次電池１の横方向に対して平行又は略平行になる状態で配置される。
【００２５】
ある実施例では、収納空間１１において、電極群１０に、電解液（図示しない）が含浸される。電解液としては、非水電解液が用いられ、例えば、電解質を有機溶媒に溶解することにより調製される非水電解液が用いられる。この場合、有機溶媒に溶解させる電解質として、過塩素酸リチウム（ＬｉＣｌＯ4）、六フッ化リン酸リチウム（ＬｉＰＦ6）、四フッ化ホウ酸リチウム（ＬｉＢＦ4）、六フッ化砒素リチウム（ＬｉＡｓＦ6）、トリフルオロメタンスルホン酸リチウム（ＬｉＣＦ3ＳＯ3）及びビストリフルオロメチルスルホニルイミドリチウム［ＬｉＮ（ＣＦ3ＳＯ2）2］等のリチウム塩、及び、これらの混合物が挙げられる。また、有機溶媒として、プロピレンカーボネート（ＰＣ）、エチレンカーボネート（ＥＣ）及びビニレンカーボネート等の環状カーボネート；ジエチルカーボネート（ＤＥＣ）、ジメチルカーボネート（ＤＭＣ）及びメチルエチルカーボネート（ＭＥＣ）等の鎖状カーボネート；テトラヒドロフラン（ＴＨＦ）、２メチルテトラヒドロフラン（２ＭｅＴＨＦ）、及びジオキソラン（ＤＯＸ）等の環状エーテル；ジメトキシエタン（ＤＭＥ）及びジエトキシエタン（ＤＥＥ）等の鎖状エーテル；γ−ブチロラクトン（ＧＢＬ）、アセトニトリル（ＡＮ）及びスルホラン（ＳＬ）等が挙げられる。これらの有機溶媒は、単独で、又は、混合溶媒として用いられる。
【００２６】
また、ある実施例では、非水電解質として、非水電解液と高分子材料とを複合化したゲル状非水電解質が、電解液の代わりに用いられる。この場合、前述した電解質及び有機溶媒が用いられる。また、高分子材料として、ポリフッ化ビニリデン（ＰＶｄＦ）、ポリアクリロニトリル（ＰＡＮ）及びポリエチレンオキサイド（ＰＥＯ）等が挙げられる。
【００２７】
また、ある実施例では、電解液の代わりに、高分子固体電解質及び無機固体電解質等の固体電解質が非水電解質として設けられる。この場合、電極群１０に、セパレータ２３，２５が設けられなくてもよい。そして、電極群１０では、セパレータ２３，２５の代わりに、固体電解質が正極２１と負極２２との間で挟まれる。このため、本実施例では、固体電解質によって、正極２１と負極２２との間が電気的に絶縁される。
【００２８】
図５等に示すように、電池本体２には、フランジ１３及び第２の外装部材６を気密に溶接する溶接部３５が形成される。溶接部３５は、開口１２の開口縁１５に対して、外側、すなわち、開口１２の開口面に平行な方向について開口１２から離れる側に、設けられる。したがって、溶接部３５は、フランジ１３及び第２の外装部材６において、側壁８Ａ，８Ｂ，９Ａ，９Ｂ（開口縁１５）から外側への突出部分に、設けられる。溶接部３５は、開口縁１５に沿って延設され、開口１２の周方向について全周に渡って連続して形成される。このため、開口１２の周方向について全周に渡って、フランジ１３及び第２の外装部材６が気密に溶接される。溶接部３５で前述のようにフランジ１３及び第２の外装部材６が気密に溶接されるため、収納空間１１が密閉され、収納空間１１が封止される。
【００２９】
なお、溶接部３５では、例えば、抵抗シーム溶接によって、フランジ１３及び第２の外装部材６が溶接される。抵抗シーム溶接が行われることにより、レーザ溶接等に比べて、コストが抑えられるとともに、フランジ１３と第２の外装部材６との間の気密性が高い。また、図５では、溶接部３５を破線で示す。
【００３０】
図３乃至図６に示すように、第１の外装部材５の外表面には、底壁７と側壁８Ａとの間に傾斜面２６Ａが設けられ、底壁７と側壁８Ｂとの間に傾斜面２６Ｂが設けられる。一対の傾斜面２６Ａ，２６Ｂのそれぞれは、縦方向に沿って延設され、側壁９Ａから側壁９Ｂまで縦方向に連続する。このため、傾斜面２６Ａ，２６Ｂのそれぞれは、開口１２の周方向について、側壁８Ａ，８Ｂの対応する一方と同一又は略同一の範囲に渡って、延設される。傾斜面２６Ａ，２６Ｂのそれぞれは、底壁７及び側壁８Ａ，８Ｂに対して、傾斜する。傾斜面２６Ａ，２６Ｂのそれぞれは、底壁７に近づくほど横方向について内側へ向かう状態に、傾斜する。したがって、傾斜面２６Ａ，２６Ｂのそれぞれは、底壁７との交差部分が鈍角になるとともに、側壁８Ａ，８Ｂの対応する一方との交差部分が鈍角になる。
【００３１】
第１の外装部材５の外表面には、一対の端子２７Ａ，２７Ｂが取付けられる。端子２７Ａ，２７Ｂの一方が二次電池１の正極端子となり、端子２７Ａ，２７Ｂの他方が二次電池１の負極端子となる。本実施形態では、端子２７Ａは、外部に露出する状態で傾斜面２６Ａに取付けられ、端子２７Ｂは、外部に露出する状態で傾斜面２６Ｂに取付けられる。したがって、端子２７Ａ，２７Ｂのそれぞれは、開口１２の周方向について、側壁８Ａ，８Ｂの対応する一方が延設される範囲に、設けられる。図３等の一例では、端子２７Ａは、二次電池１の縦方向について傾斜面２６Ａの中央位置又は略中央位置に配置され、端子２７Ｂは、二次電池１の縦方向について傾斜面２６Ｂの中央位置又は略中央位置に配置される。端子２７Ａ，２７Ｂのそれぞれは、導電材料から形成され、例えば、アルミニウム、銅及びステンレス等のいずれかから形成される。
【００３２】
また、第１の外装部材５の外表面には、電気的に絶縁材料から形成される一対の絶縁部材２８Ａ，２８Ｂが設けられる。絶縁部材２８Ａは、側壁８Ａの外表面及び傾斜面２６Ａに配置され、絶縁部材２８Ｂ、側壁８Ｂの外表面及び傾斜面２６Ｂに配置される。絶縁部材２８Ａは、傾斜面２６Ａと端子２７Ａとの間に介在し、端子２７Ａを外装部３（第１の外装部材５）に対して電気的に絶縁する。そして、絶縁部材２８Ｂは、傾斜面２６Ｂと端子２７Ｂとの間に介在し、端子２７Ｂを外装部３（第１の外装部材５）に対して電気的に絶縁する。二次電池１では、端子２７Ａは、縦方向について、絶縁部材２８Ａの両外縁（Ｐ１，Ｐ２）に対して、傾斜面２６Ａの中央位置に近い側（内側）に配置される。そして、端子２７Ｂは、縦方向について、絶縁部材２８Ｂの両外縁（Ｐ３，Ｐ４）に対して、傾斜面２６Ｂの中央位置に近い側（内側）に配置される。
【００３３】
電極群１０の正極集電タブ２１Ｄは、超音波溶接等の溶接によって束ねられる。そして、正極集電タブ２１Ｄの束は、正極バックアップリード３１Ａ及び正極端子リード３２Ａ等を含む１つ以上の正極リードを介して、端子２７Ａ，２７Ｂの対応する一方（正極端子）に電気的に接続される。この際、正極集電タブ２１Ｄと正極リードとの間の接続、正極リード同士の接続、及び、正極リードと正極端子との間の接続は、超音波溶接等の溶接によって、行われる。ここで、正極リードは、導電性を有する金属から形成される。また、正極集電タブ２１Ｄ及び正極リードは、絶縁部材（図示しない）等によって、外装部３に対して電気的に絶縁される。
【００３４】
同様に、電極群１０の負極集電タブ２２Ｄは、超音波溶接等の溶接によって束ねられる。そして、負極集電タブ２２Ｄの束は、負極バックアップリード３１Ｂ及び負極端子リード３２Ｂ等を含む１つ以上の負極リードを介して、端子２７Ａ，２７Ｂの対応する一方（負極端子）に電気的に接続される。この際、負極集電タブ２２Ｄと負極リードとの間の接続、負極リード同士の接続、及び、負極リードと負極端子との間の接続は、超音波溶接等の溶接によって、行われる。ここで、負極リードは、導電性を有する金属から形成される。また、負極集電タブ２２Ｄ及び負極リードは、絶縁部材（図示しない）等によって、外装部３に対して電気的に絶縁される。
【００３５】
図８及び図９は、二次電池１の端子２７Ａ，２７Ｂの構成を示す図である。図８及び図９では、互いに対して異なる方向から端子２７Ａ，２７Ｂの一方を視ている。図８及び図９等に示すように、端子２７Ａ，２７Ｂのそれぞれは、頭部６１と、軸部６２とを備える。軸部６２は、傾斜面２６Ａ，２６Ｂの対応する一方に形成される孔（図示しない）と嵌合し、孔から収納空間１１の内部に挿入される。軸部６２が孔と嵌合することにより、傾斜面２６Ａ，２６Ｂの対応する一方に、端子２７Ａ，２７Ｂのそれぞれは、取付けられる。また、端子２７Ａ，２７Ｂのそれぞれの頭部６１は、傾斜面２６Ａ，２６Ｂの対応する一方から外側へ突出する。
【００３６】
頭部６１は、端子面６３〜６８を備える。端子２７Ａ，２７Ｂのそれぞれの端子面（端子内向面）６３は、内側を向き、絶縁部材２８Ａ，２８Ｂの対応する一方を挟んで、傾斜面２６Ａ，２６Ｂの対応する一方と対向する。端子２７Ａの端子面６３は、傾斜面２６Ａに対して平行又は略平行であり、絶縁部材２８Ａと面接触する状態で当接する。そして、端子２７Ｂの端子面６３は、傾斜面２６Ｂに対して平行又は略平行であり、絶縁部材２８Ｂと面接触する状態で当接する。
【００３７】
端子２７Ａ，２７Ｂのそれぞれでは、端子面（端子側面）６４，６５のそれぞれは、二次電池１の縦方向について外側を向く。端子２７Ａ，２７Ｂのそれぞれでは、端子面６４によって、二次電池１の縦方向についての両外端の一方が、形成される。そして、端子２７Ａ，２７Ｂのそれぞれでは、端子面６５によって、二次電池１の縦方向についての両外端の他方が、形成される。なお、二次電池で１では、端子２７Ａ，２７Ｂのそれぞれの端子面６４，６５は、縦方向について、絶縁部材２８Ａ，２８Ｂの対応する一方の両外縁（Ｐ１，Ｐ２；Ｐ３，Ｐ４）に対して内側に配置される。
【００３８】
端子２７Ａ，２７Ｂのそれぞれの端子面（第１の端子面）６６は、二次電池１の厚さ方向について、底壁７の外表面が向く側と同一の側を向く。端子面６６は、底壁７に対して平行又は略平行である。二次電池１では、端子面６６は、底壁７の外表面に対して、フランジ１３が位置する側に位置する。すなわち、底壁７は、端子面６６に対して、厚さ方向について外側へ、僅かに突出する。なお、底壁７の外表面と端子２７Ａ，２７Ｂのそれぞれの端子面６６との間の距離は、２ｍｍ以上３ｍｍ以下程度である。
【００３９】
端子面（第２の端子面）６７は、端子面６６からフランジ１３が位置する側へ延設される。端子２７Ａ，２７Ｂのそれぞれでは、端子面６７によって、二次電池１の横方向についての外端が、形成される。端子２７Ａの端子面６７は、側壁（第１の側壁）８Ａに対して平行又は略平行であり、端子２７Ｂの端子面は、側壁（第１の側壁）８Ｂに対して平行又は略平行である。また、本実施形態では、端子２７Ａ，２７Ｂのそれぞれの端子面６７は、側壁８Ａ，８Ｂの対応する一方に対して、僅かに外側へ突出する。また、二次電池１では、フランジ１３及び第２の外装部材６は、端子２７Ａ，２７Ｂのそれぞれの端子面６７に対して外側へ突出する。すなわち、フランジ１３及び第２の外装部材６の外周端は、二次電池１の横方向について、端子２７Ａ，２７Ｂのそれぞれの端子面（外端面）６７に対して外側に位置する。
【００４０】
なお、端子２７Ａの端子面６７は、絶縁部材２８Ａの外表面に対して僅かに外側へ突出する、又は、絶縁部材２８Ａの外表面と面一又は略面一である。また、端子２７Ｂの端子面６７は、絶縁部材２８Ｂの外表面に対して僅かに外側へ突出する、又は、絶縁部材２８Ｂの外表面と面一又は略面一である。
【００４１】
端子面（第３の端子面）６８は、外側を向く状態で端子面６６，６７の間に延設される。端子２７Ａの端子面６８は、傾斜面２６Ａに対して平行又は略平行であり、端子２７Ｂの端子面６８は、傾斜面２６Ｂに対して平行又は略平行である。二次電池１では、端子２７Ａ，２７Ｂのそれぞれの端子面（端子傾斜面）６８は、端子面（第２の端子面）６７から端子面（第１の端子面）６６に近づくほど横方向について内側へ向かう状態に、傾斜する。したがって、端子２７Ａ，２７Ｂのそれぞれでは、端子面（第３の端子面）６８は、端子面（第１の端子面）６６との交差部分が鈍角になるとともに、端子面（第２の端子面）６７との交差部分が鈍角になる。 
【００４２】
また、端子２７Ａ，２７Ｂのそれぞれの二次電池１の縦方向についての寸法Ｌ１は、側壁９Ａ，９Ｂの間の縦方向についての寸法Ｌ２に対して、２７％以上６０％以下であり、より好ましくは、２７％以上３１％以下である。ここで、端子２７Ａ，２７Ｂのそれぞれでは、端子面６４，６５の間の距離が、寸法Ｌ１に相当する。ある一例では、端子２７Ａ，２７Ｂのそれぞれの二次電池１の縦方向についての寸法Ｌ１は、２３ｍｍ以上５０ｍｍ以下であり、より好ましくは、２３ｍｍ以上２６ｍｍ以下となる。
【００４３】
図２及び図６に示すように、装着部材５０は、略板状に形成され、外装部３の第１の外装部材５に取付けられる。装着部材５０は、外縁Ｅを有する。また、装着部材５０は、土台５１と、側板部５２Ａ，５２Ｂと、を備える。土台５１は、装着部材５０の外縁Ｅの一部を形成する。土台５１は、底壁７の外表面に当接する。装着部材５０が第１の外装部材５に取付けられた状態では、土台５１は、底壁７に対して平行又は略平行に延設され、二次電池１の縦方向及び横方向に対して平行又は略平行に延設される。このため、土台５１では、装着部材５０の厚さ方向が、二次電池１の厚さ方向と平行又は略平行になる。本実施形態では、土台５１は、底壁７の外表面の全体又は略全体と面接触する。ここで、前述のように、端子２７Ａ，２７Ｂのそれぞれの端子面６６は、底壁７の外表面に対して、フランジ１３が位置する側に位置する。このため、土台５１は、端子２７Ａ，２７Ｂと接触しない。
【００４４】
また、土台５１は、側壁９Ａ，９Ｂのそれぞれに対して、外側へ突出する。側板部５２Ａは、土台５１の側壁９Ａからの突出端又はその近傍から、フランジ１３が位置する側へ延設される。側板部５２Ｂは、土台５１の側壁９Ｂからの突出端又はその近傍から、フランジ１３が位置する側へ延設される。すなわち、側板部５２Ａ，５２Ｂのそれぞれは、土台５１に対して、フランジ１３が位置する側へ突出する。装着部材５０が第１の外装部材５に取付けられた状態では、側板部５２Ａ，５２Ｂのそれぞれは、側壁（第２の側壁）９Ａ，９Ｂに対して平行又は略平行に延設され、二次電池１の横方向及び厚さ方向に対して平行又は略平行に延設される。このため、側板部５２Ａ，５２Ｂのそれぞれでは、装着部材５０の厚さ方向が、二次電池１の縦方向と平行又は略平行になる。
側板部５２Ａは、開口１２の周方向について、側壁９Ａが延設される範囲の全体又は略全体に渡って、設けられる。そして、側板部５２Ｂは、開口１２の周方向について、側壁９Ｂが延設される範囲の全体又は略全体に渡って、設けられる。したがって、本実施形態では、側板部５２Ａ，５２Ｂから構成される装着部材５０の側板部は、開口１２の周方向について、側壁（第２の側壁）９Ａ，９Ｂが延設される範囲にのみ、設けられる。このため、側板部５２Ａ，５２Ｂは、開口１２の周方向について、側壁（第１の側壁）８Ａ，８Ｂが延設される範囲、及び、端子２７Ａ，２７Ｂが位置する範囲には、設けられない。
【００４５】
側板部５２Ａは、縦方向について外側から側壁９Ａと対向し、側板部５２Ｂは、縦方向について外側から側壁９Ｂと対向する。側板部５２Ａは、側壁９Ａとの間に隙間５６Ａを有する状態で、側壁９Ａの外表面と対向する。したがって、開口１２の周方向につて側壁９Ａが延設される範囲では、側板部５２Ａの内側に隣接して隙間５６Ａが形成され、隙間５６Ａが二次電池１の横方向に沿って形成される。また、側板部５２Ｂは、側壁９Ｂとの間に隙間５６Ｂを有する状態で、側壁９Ｂの外表面と対向する。したがって、開口１２の周方向につて側壁９Ｂが延設される範囲では、側板部５２Ｂの内側に隣接して隙間５６Ｂが形成され、隙間５６Ｂが二次電池１の横方向に沿って形成される。また、本実施形態では、側板部５２Ａ，５２Ｂの土台５１からの突出端が、装着部材５０の外縁Ｅの一部を形成する。
【００４６】
なお、本実施形態では、側板部５２Ａ，５２Ｂのそれぞれは、フランジ１３及び第２の外装部材６を超えて、土台５１が位置する側とは反対側へ向かって延設される。また、本実施形態では、側板部５２Ａ，５２Ｂのそれぞれは、フランジ１３及び第２の外装部材６のそれぞれの外周端（外縁）に対して外側を通って、延設される。ただし、ある実施例では、側板部５２Ａ，５２Ｂのそれぞれの土台５１からの突出端は、フランジ１３及び第２の外装部材６に対して、土台５１が位置する側に位置してもよい。この場合、側板部５２Ａ，５２Ｂのそれぞれは、フランジ１３及び第２の外装部材６のそれぞれの外周端に対して、内側に位置してもよい。
【００４７】
装着部材５０は、全体が絶縁性を有する樹脂等の絶縁層から形成されてもよく、絶縁層及び金属層が積層された構造であってもよい。ただし、絶縁層は、土台５１の中心位置から装着部材５０の外縁Ｅまで、連続して延設され、土台５１から側板部５２Ａ，５２Ｂの突出端まで、連続して延設される。そして、土台５１及び側板部５２Ａ，５２Ｂにおいて、第１の外装部材５が位置する側とは反対側を向く表面の全体又は略全体が、絶縁層から形成される。ここで、絶縁層を形成する樹脂としては、ポリエチレン、ポリプロピレン等が挙げられる。また、例えば絶縁層及び金属層から装着部材６０が形成される場合、装着部材６０では、絶縁層の層厚は、０．０５ｍｍ以上０．３ｍｍ以下程度である。そして、装着部材５０の厚さは、０．６ｍｍ以上１．２ｍｍ以下程度となり、微小である。また、本実施形態では、隙間５６Ａ，５６Ｂのそれぞれには、二次電池１を冷却する冷媒の通路が規定される。冷媒としては、空気等の気体、及び、水等の液体が挙げられる。
【００４８】
<電池パックでの二次電池の配置>  
電池パック７０では、それぞれが前述の二次電池１と同様の構成の複数の二次電池１Ａ〜１Ｈが、積層される（配列される）。図１に示すように、電池パック７０では、二次電池１Ａ〜１Ｈのそれぞれは、厚さ方向が積層方向と平行又は略平行になる状態で、積層される。そして、二次電池１Ａ〜１Ｈのそれぞれは、縦方向が第１の交差方向と平行又は略平行になり、かつ、横方向が第２の交差方向と平行又は略平行になる状態で、配置される。
【００４９】
ここで、二次電池１Ａ〜１Ｈの中で互いに対して隣り合って配置される（積層される）２つを二次電池１α，１βとする。図１の一例では、二次電池（第１の二次電池）１αは、二次電池１Ａ〜１Ｇのいずれか１つであり、二次電池（第２の二次電池）１βは、二次電池１Ｂ〜１Ｈの中の対応する１つである。電池パック７０では、二次電池１αの第２の外装部材６は、二次電池１βの装着部材５０の土台５１を挟んで、二次電池１βの底壁７と対向する。このため、二次電池１βの装着部材５０によって、二次電池１αの第２の外装部材６への二次電池１βの第１の外装部材５の接触が、防止される。これにより、二次電池１α，１βの外装部３同士の接触が防止され、二次電池１α，１βの外装部３同士が電気的に接続されることが、有効に防止される。
【００５０】
また、電池パック７０では、互いに対して隣り合って配置される二次電池１α，１βが、第１の交差方向について、互いに対してずれることなく、又は、ほとんどずれることなく、配置される。そして、二次電池１α，１βは、第２の交差方向について、互いに対してずれることなく、又は、ほとんどずれることなく、配置される。また、縦方向、横方向及び厚さ方向のそれぞれについて、二次電池１α，１βの寸法は、互いに対して同一又は略同一である。
【００５１】
前述のように二次電池１Ａ〜１Ｈが積層されるため、電池パック７０の二次電池１α，１βのそれぞれでは、側壁（第１の側壁）８Ａ，８Ｂが第１の交差方向に沿って延設され、側壁（第２の側壁）９Ａ，９Ｂが第２の交差方向に沿って延設される。そして、二次電池１α，１βのそれぞれでは、傾斜面２６Ａ，２６Ｂのそれぞれは、側壁９Ａ，９Ｂの間に、第１の交差方向に沿って連続する。そして、傾斜面２６Ａ，２６Ｂのそれぞれは、底壁７に近づくほど第２の交差方向について内側へ向かう状態に、傾斜する。
【００５２】
また、二次電池１α，１βのそれぞれでは、端子２７Ａが、第１の交差方向について、絶縁部材２８Ａの両外縁（Ｐ１，Ｐ２）に対して内側に配置される。そして、端子２７Ｂが、第１の交差方向について、絶縁部材２８Ｂの両外縁（Ｐ３，Ｐ４）に対して内側に配置される。また、二次電池１α，１βのそれぞれでは、フランジ１３及び第２の外装部材６は、第２の交差方向について、端子２７Ａ，２７Ｂのそれぞれの端子面（外端面）６７に対して外側へ突出する。すなわち、フランジ１３及び第２の外装部材６の外周端は、第２の交差方向について、端子２７Ａ，２７Ｂのそれぞれの端子面６７に対して外側に位置する。また、二次電池１α，１βのそれぞれでは、端子２７Ａ，２７Ｂの第１の交差方向についての寸法Ｌ１が、側壁（第２の側壁）９Ａ，９Ｂの間の第１の交差方向についての寸法Ｌ２の２７％以上６０％以下であり、より好ましくは、２７％以上３１％以下となる。
【００５３】
<接続部材及び接続部材による電気的な接続>  
図１０は、電池パック７０において、互いに対して隣り合って積層される二次電池１α，１βを電気的に接続する構成を示す図である。図１０に示すように、二次電池１α，１βは、接続部材であるバスバー７１によって、電気的に接続される。バスバー７１は、例えば、導電性を有する金属から形成される。電池パック７０では、二次電池１αの端子２７Ａ，２７Ｂの対応する一方である対象端子が、二次電池１βの端子２７Ａ，２７Ｂの対応する一方である対象端子に、バスバー７１を介して接続される。バスバー７１によって接続される二次電池１αの対象端子（２７Ａ又は２７Ｂ）及び二次電池１βの対象端子（２７Ａ又は２７Ｂ）は、第２の交差方向について、電池パック７０の中央位置に対して同一の側に、位置する。すなわち、二次電池１αの対象端子（２７Ａ又は２７Ｂ）及び二次電池１βの対象端子（２７Ａ又は２７Ｂ）は、第２の交差方向について、二次電池１α，１βの収納空間１１に対して同一の側に、位置する。
【００５４】
実際に、図１の一例では、二次電池１Ｂ，１Ｃの間、二次電池１Ｄ，１Ｅの間、及び、二次電池１Ｆ，１Ｇの間では、第２の交差方向について電池パック７０の中央位置に対して一方側（矢印Ｙ１側）に位置する端子同士が、バスバー７１によって接続される。そして、二次電池１Ａ，１Ｂの間、二次電池１Ｃ，１Ｄの間、二次電池１Ｅ，１Ｆの間、及び、二次電池１Ｇ，１Ｈの間では、第２の交差方向について電池パック７０の中央位置に対して他方側（矢印Ｙ２側）に位置する端子同士が、バスバー７１によって接続される。
【００５５】
なお、図１の一例では、二次電池１α，１βは、電気的に直列に接続される。したがって、バスバー７１によって接続される２つの対象端子は、一方が正極端子で、他方が負極端子である。また、別のある一例では、二次電池１α，１βが、電気的に並列に接続されてもよい。この場合、第２の交差方向について電池パック７０の中央位置に対して一方側で、二次電池１α，１βの正極端子同士が、バスバー７１によって接続される。そして、第２の交差方向について電池パック７０の中央位置に対して他方側で、二次電池１α，１βの負極端子同士が、バスバー７１によって接続される。
【００５６】
図１１は、バスバー７１の構成を示す図である。図１、図１０及び図１１に示すように、バスバー７１は、二次電池（第１の二次電池）１αの対象端子（２７Ａ又は２７Ｂ）に接触するコネクタ部（第１のコネクタ部）７２Ａと、二次電池（第２の二次電池）１βの対象端子（２７Ａ又は２７Ｂ）に接触するコネクタ部（第２のコネクタ部）７２Ｂと、を備える。コネクタ部（接触部）７２Ａ，７２Ｂのそれぞれは、電池パック７０の第２の交差方向について外側から、対応する対象端子（２７Ａ又は２７Ｂ）に面接触し、対応する対象端子（２７Ａ又は２７Ｂ）に溶接等によって接続される。また、コネクタ部７２Ａ，７２Ｂのそれぞれは、対応する対象端子（２７Ａ又は２７Ｂ）において、端子面（第２の端子面）６７に面接触する。したがって、二次電池１αの対象端子（２７Ａ又は２７Ｂ）では、端子面６７がコネクタ部７２Ａとの接触面となり、二次電池１βの対象端子（２７Ａ又は２７Ｂ）では、端子面６７がコネクタ部７２Ｂとの接触面となる。
【００５７】
本実施形態では、コネクタ部７２Ａ，７２Ｂは、第２の交差方向について、二次電池１α，１βのそれぞれのフランジ１３の外周端に対して、内側に位置する。また、コネクタ部７２Ａ，７２Ｂのそれぞれは、第１の交差方向に沿って延設され、二次電池１α，１βのそれぞれの縦方向に沿って延設される。コネクタ部７２Ａ，７２Ｂのそれぞれは、第１の交差方向について、対応する対象端子（２７Ａ又は２７Ｂ）の両外端（端子面６４，６５）を超えて外側へ、延設される。
【００５８】
また、バスバー７１は、コネクタ部７２Ａ，７２Ｂの間を中継する中継部７３Ａ，７３Ｂを備える。中継部７３Ａ，７３Ｂのそれぞれは、積層方向（配列方向）に沿って、延設される。中継部（第１の中継部）７３Ａは、第１の交差方向について、コネクタ部７２Ａ，７２Ｂのそれぞれが接触する対象端子（２７Ａ又は２７Ｂ）に対して、一方側に離れて配置される。そして、中継部（第２の中継部）７３Ｂは、第１の交差方向について、コネクタ部７２Ａ，７２Ｂのそれぞれが接触する対象端子（２７Ａ又は２７Ｂ）に対して、中継部７３Ａとは反対側に離れて配置される。コネクタ部７２Ａ，７２Ｂ及びコネクタ部７２Ａ，７２Ｂのそれぞれが接続される対象端子（２７Ａ又は２７Ｂ）は、第１の交差方向について、中継部７３Ａ，７３Ｂの間に設けられる。
【００５９】
また、バスバー７１では、コネクタ部７２Ａと中継部７３Ａとの間に、段差（第１の段差）７４Ａが設けられ、コネクタ部７２Ｂと中継部７３Ａとの間に、段差（第２の段差）７４Ｂが設けられる。そして、コネクタ部７２Ａと中継部７３Ｂとの間に、段差（第３の段差）７４Ｃが設けられ、コネクタ部７２Ｂと中継部７３Ｂとの間に、段差（第４の段差）７４Ｄが設けられる。段差７４Ａ〜７４Ｄのそれぞれは、第１の交差方向について、コネクタ部７２Ａ，７２Ｂのそれぞれが接触する対象端子（２７Ａ又は２７Ｂ）に対して、外側に配置される。段差７４Ａ，７４Ｂによって、中継部７３Ａは、第２の交差方向について、コネクタ部７２Ａ，７２Ｂのそれぞれに対して外側に位置する。そして、段差７４Ｃ，７４Ｄによって、中継部７３Ｂは、第２の交差方向について、コネクタ部７２Ａ，７２Ｂのそれぞれに対して外側に位置する。前述のような構成であるため、バスバー７１は、第２の交差方向の外側から視て、略Ｏ字状になる。
【００６０】
また、前述のように、二次電池１α，１βのそれぞれでは、絶縁部材２８Ａ，２８Ｂの対応する一方である対象絶縁部材（２８Ａ又は２８Ｂ）によって、対象端子（２７Ａ又は２７Ｂ）と第１の外装部材５との間が、電気的に絶縁される。本実施形態では、段差７４Ａ，７４Ｃは、第１の交差方向について、二次電池１αの対象絶縁部材（２８Ａ又は２８Ｂ）が延設される範囲に位置する。そして、段差７４Ｂ，７４Ｄは、第１の交差方向について、二次電池１βの対象絶縁部材（２８Ａ又は２８Ｂ）が延設される範囲に位置する。このため、段差（第１の段差）７４Ａは、第１の交差方向について、二次電池１αの対象絶縁部材（２８Ａ又は２８Ｂ）の片外縁（Ｐ１；Ｐ３）に対して内側に位置し、段差（第２の段差）７４Ｂは、第１の交差方向について、二次電池１βの対象絶縁部材（２８Ａ又は２８Ｂ）の片外縁（Ｐ１；Ｐ３）に対して内側に位置する。そして、段差（第３の段差）７４Ｃは、第１の交差方向について、二次電池１αの対象絶縁部材（２８Ａ又は２８Ｂ）の片外縁（Ｐ２；Ｐ４）に対して内側に位置し、段差（第４の段差）７４Ｄは、第１の交差方向について、二次電池１βの対象絶縁部材（２８Ａ又は２８Ｂ）の片外縁（Ｐ２；Ｐ４）に対して内側に位置する。したがって、段差７４Ａ〜７４Ｄは、第１の交差方向について、二次電池１αの対象絶縁部材（２８Ａ又は２８Ｂ）の両外縁（Ｐ１，Ｐ２；Ｐ３，Ｐ４）の間に設けられる。そして、段差７４Ａ〜７４Ｄは、第１の交差方向について、二次電池１βの対象絶縁部材（２８Ａ又は２８Ｂ）の両外縁（Ｐ１，Ｐ２；Ｐ３，Ｐ４）の間に設けられる。なお、ある実施例では、段差７４Ａ，７４Ｃは、第１の交差方向について、二次電池１αの対象絶縁部材（２８Ａ又は２８Ｂ）が延設される範囲の外に位置してもよい。そして、段差７４Ｂ，７４Ｄは、第１の交差方向について、二次電池１βの対象絶縁部材（２８Ａ又は２８Ｂ）が延設される範囲の外に位置してもよい。
【００６１】
また、電池パック７０の積層方向について最も矢印Ｚ１側の二次電池１Ａでは、端子２７Ａ，２７Ｂの一方に、接続部材であるバスバー７５Ａが接続される。そして、積層方向について最も矢印Ｚ２側の二次電池１Ｈでは、端子２７Ａ，２７Ｂの一方に、接続部材であるバスバー７５Ｂが接続される。バスバー７５Ａ，７５Ｂのそれぞれは、バスバー７１と同様に、導電性を有する金属から形成される。なお、二次電池１Ａでは、端子２７Ａ，２７Ｂの他方は、バスバー７１を介して二次電池１Ｂに接続される。そして、二次電池１Ｈでは、端子２７Ａ，２７Ｂの他方は、バスバー７１を介して二次電池１Ｇに接続される。
【００６２】
バスバー７５Ａは、二次電池１Ａの端子２７Ａ，２７Ｂの一方に接触するコネクタ部７６Ａを備え、バスバー７５Ｂは、二次電池１Ｈの端子２７Ａ，２７Ｂの一方に接触するコネクタ部７６Ｂを備える。本実施形態では、コネクタ部７６Ａ，７６Ｂのそれぞれは、第２の交差方向の外側から、対応する端子（２７Ａ又は２７Ｂ）に面接触する。そして、コネクタ部７６Ａ，７６Ｂのそれぞれは、対応する端子（２７Ａ又は２７Ｂ）において、端子面（第２の端子面）６７に接触する。コネクタ部７６Ａ，７６Ｂのそれぞれは、溶接等によって、対応する端子（２７Ａ又は２７Ｂ）の端子面６７に接続される。また、コネクタ部７６Ａ，７６Ｂのそれぞれは、第１の交差方向に沿って延設される。
【００６３】
バスバー７５Ａ，７５Ｂのそれぞれは、外部端子（７７Ａ；７７Ｂ）を備える。外部端子７７Ａ，７７Ｂの一方が、電池パック７０の正極端子となり、外部端子７７Ａ，７７Ｂの他方が電池パック７０の負極端子となる。外部端子７７Ａは、第１交差方向について、コネクタ部７６Ａが接触する端子（２７Ａ又は２７Ｂ）に対して、一方側に離れて配置される。そして、外部端子７７Ｂは、第１の交差方向について、コネクタ部７６Ｂが接触する端子（２７Ａ又は２７Ｂ）に対して、一方側に離れて配置される。
【００６４】
また、バスバー７５Ａでは、コネクタ部７６Ａと外部端子７７Ａとの間に段差７８Ａが設けられ、バスバー７５Ｂでは、コネクタ部７６Ｂと外部端子７７Ｂとの間に段差７８Ｂが設けられる。段差７８Ａによって、外部端子７７Ａは、第２の交差方向についてコネクタ部７６Ａに対して外側に位置し、二次電池１Ａのフランジ１３の外周端及び第２の外装部材６の外周端より外側に位置する。そして、段差７８Ｂによって、外部端子７７Ｂは、第２の交差方向についてコネクタ部７６Ｂに対して外側に位置し、二次電池１Ｈのフランジ１３の外周端及び第２の外装部材６の外周端より外側に位置する。
【００６５】
本実施形態の接続部材であるバスバー７１では、段差７４Ａ，７４Ｂによって、中継部７３Ａは、第２の交差方向について、コネクタ部７２Ａ，７２Ｂのそれぞれに対して外側に位置する。また、段差７４Ｃ，７４Ｄによって、中継部７３Ｂは、第２の交差方向について、コネクタ部７２Ａ，７２Ｂのそれぞれに対して外側に位置する。そして、中継部７３Ａ，７３Ｂのそれぞれは、第２の交差方向について、二次電池１αのフランジ１３の外周端及び第２の外装部材６の外周端より外側を通って、延設される。これにより、二次電池１α，１βのそれぞれの外装部３へのバスバー７１の干渉（接触）が、有効に防止される。したがって、二次電池１α，１βの外装部３同士がバスバー７１を介して電気的に接続されることが、防止される。
【００６６】
また、前述のような構成のバスバー７１では、二次電池１αの対象端子（２７Ａ又は２７Ｂ）に接続されるコネクタ部７２Ａは、中継部７３Ａ，７３Ｂ等に比べて、二次電池１αの外装部３に近い位置に設けられる。そして、二次電池１βの対象端子（２７Ａ又は２７Ｂ）に接続されるコネクタ部７２Ｂは、中継部７３Ａ，７３Ｂ等に比べて、二次電池１βの外装部３に近い位置に設けられる。ただし、本実施形態では、段差７４Ａ〜７４Ｄは、第１の交差方向について、二次電池１αの対象絶縁部材（２８Ａ又は２８Ｂ）の両外縁（Ｐ１，Ｐ２；Ｐ３，Ｐ４）の間に設けられる。そして、段差７４Ａ〜７４Ｄは、第１の交差方向について、二次電池１βの対象絶縁部材（２８Ａ又は２８Ｂ）の両外縁（Ｐ１，Ｐ２；Ｐ３，Ｐ４）の間に設けられる。このため、二次電池１αでは、コネクタ部７２Ａの外装部３への接触が、絶縁部材２８Ａ，２８Ｂの対応する一方である対象絶縁部材（２８Ａ又は２８Ｂ）によって、防止される。そして、二次電池１βでは、コネクタ部７２Ｂの外装部３への接触が、対象絶縁部材（２８Ａ又は２８Ｂ）によって、防止される。二次電池１α，１βのそれぞれの外装部３へのバスバー７１の干渉（接触）が、より有効に防止される。
【００６７】
また、コネクタ部７２Ａ，７２Ｂのそれぞれは、対象端子（２７Ａ又は２７Ｂ）に面接触するため、コネクタ部７２Ａ，７２Ｂのそれぞれの対象端子（２７Ａ又は２７Ｂ）への接触面積が大きく確保される。したがって、バスバー７１によって、対象端子同士が確実に接続される。また、コネクタ部７２Ａ，７２Ｂのそれぞれの対象端子（２７Ａ又は２７Ｂ）への接触面積が大きく確保されることにより、コネクタ部７２Ａ，７２Ｂのそれぞれの対象端子（２７Ａ又は２７Ｂ）への接触部分において、導電経路の断面積が大きく確保され、導電経路の電気抵抗を小さくなる。
【００６８】
また、本実施形態では、コネクタ部７２Ａ，７２Ｂのそれぞれは、第１の交差方向に沿って延設され、二次電池１α，１βの縦方向に沿って延設される。前述のような構成の二次電池１α，１βのそれぞれでは、横方向についての端子２７Ａ，２７Ｂの寸法及び厚さ方向についての端子２７Ａ，２７Ｂの寸法のそれぞれはほとんど大きくならないが、縦方向についての端子２７Ａ，２７Ｂの寸法を大きくすることは可能である。すなわち、二次電池１α，１βのそれぞれでは、電池パック７０の第１の交差方向についての端子２７Ａ，２７Ｂの寸法を大きくすることは、可能である。実際に、二次電池１α，１βのそれぞれでは、第１の交差方向についての端子２７Ａ，２７Ｂの寸法を、側壁９Ａ，９Ｂの間の第１の交差方向についての寸法の６０％程度まで大きくすることが可能であり、５０ｍｍ程度まで大きくすることが可能である。したがって、コネクタ部７２Ａ，７２Ｂのそれぞれが第１の交差方向に沿って延設されることにより、コネクタ部７２Ａ，７２Ｂのそれぞれの対象端子（２７Ａ又は２７Ｂ）への接触面積をさらに大きくすることが、可能になる。
【００６９】
また、本実施形態では、段差７４Ａ〜７４Ｄのそれぞれは、第１の交差方向について、コネクタ部７２Ａ，７２Ｂのそれぞれが接触する対象端子（２７Ａ又は２７Ｂ）に対して、外側に配置される。これにより、コネクタ部７２Ａ，７２Ｂのそれぞれは、第１の交差方向について対象端子（２７Ａ又は２７Ｂ）の全寸法又は略全寸法に渡って、対象端子（２７Ａ又は２７Ｂ）と接触可能になる。したがって、コネクタ部７２Ａ，７２Ｂのそれぞれの対象端子（２７Ａ又は２７Ｂ）への接触面積が、さらに大きくなる。
【００７０】
バスバー７１は、一対の中継部７３Ａ，７３Ｂを備え、コネクタ部７２Ａ，７２Ｂ及びコネクタ部７２Ａ，７２Ｂのそれぞれが接続される対象端子（２７Ａ又は２７Ｂ）は、第１の交差方向について、中継部７３Ａ，７３Ｂの間に設けられる。このため、外力等によってコネクタ部７２Ａ，７２Ｂの間の距離が大きく変化することが、有効に防止され、コネクタ部７２Ａ，７２Ｂの間の距離が、一定又は略一定に維持される。したがって、バスバー７１を二次電池１α，１βに接続する作業において、コネクタ部７２Ａを二次電池１αの対象端子（２７Ａ又は２７Ｂ）に面接触させ易く、コネクタ部７２Ｂを二次電池１βの対象端子（２７Ａ又は２７Ｂ）に面接触させ易い。これにより、二次電池１α，１βの間にバスバー７１を接続する作業における作業性が、向上する。また、コネクタ部７２Ａ，７２Ｂの間に２つの中継部７３Ａ，７３Ｂが設けられるため、コネクタ部７２Ａ，７２Ｂの間の導電経路において、電気抵抗が小さくなる。
【００７１】
また、二次電池１αでは、コネクタ部７２Ａが面接触する対象端子（２７Ａ又は２７Ｂ）の端子面（第２の端子面）６７は、側壁８Ａ，８Ｂの対応する一方に対して平行又は略平行である。そして、二次電池１βでは、コネクタ部７２Ｂが面接触する対象端子（２７Ａ又は２７Ｂ）の端子面（第２の端子面）６７は、側壁８Ａ，８Ｂの対応する一方に対して平行又は略平行である。このため、バスバー７１を二次電池１α，１βに接続する作業において、コネクタ部７２Ａを二次電池１αの対象端子（２７Ａ又は２７Ｂ）にさらに面接触させ易くなり、コネクタ部７２Ｂを二次電池１βの対象端子（２７Ａ又は２７Ｂ）にさらに面接触させ易くなる。
【００７２】
そして、二次電池１αでは、コネクタ部７２Ａが面接触する対象端子（２７Ａ又は２７Ｂ）の端子面（第２の端子面）６７は、側壁８Ａ，８Ｂの対応する一方の外表面に対して、僅かに外側へ突出する。そして、二次電池１βでは、コネクタ部７２Ｂが面接触する対象端子（２７Ａ又は２７Ｂ）の端子面（第２の端子面）６７は、側壁８Ａ，８Ｂの対応する一方の外表面に対して、僅かに外側へ突出する。このため、バスバー７１を二次電池１α，１βに接続する作業において、コネクタ部７２Ａを二次電池１αの対象端子（２７Ａ又は２７Ｂ）にさらに面接触させ易くなり、コネクタ部７２Ｂを二次電池１βの対象端子（２７Ａ又は２７Ｂ）にさらに面接触させ易くなる。
【００７３】
（変形例）  
図１２及び図１３に示す第１の変形例では、バスバー７１は、コネクタ部７２Ａ，７２Ｂ、中継部７３Ａ及び段差７４Ａ，７４Ｂかのみら形成され、バスバー７１に、中継部７３Ｂ及び段差７４Ｃ，７４Ｄが設けられない。この場合、バスバー７１は、第２の交差方向の外側から視て、略Ｕ字状になる。
【００７４】
本変形例でも、コネクタ部（第１のコネクタ部）７２Ａは、第２の交差方向について外側から二次電池（第１の二次電池）１αの対象端子（２７Ａ又は２７Ｂ）に面接触し、コネクタ部（第２のコネクタ部）７２Ｂは、第２の交差方向について外側から二次電池（第２の二次電池）１βの対象端子（２７Ａ又は２７Ｂ）に面接触する。そして、コネクタ部７２Ａ，７２Ｂのそれぞれは、第１の交差方向に沿って延設される。また、中継部７３Ａは、第１の交差方向について、二次電池１α，１βの対象端子（２７Ａ又は２７Ｂ）から外側に離れた位置に、設けられる。そして、段差（第１の段差）７４Ａ及び段差（第２の段差）７４Ｂによって、中継部７３Ａは、コネクタ部７２Ａ，７２Ｂに比べて、第２の交差方向について外側に位置する。そして、中継部７３Ａは、第２の交差方向について二次電池１αのフランジ１３より外側を通って、コネクタ部７２Ａ，７２Ｂを中継する。
前述のような構成であるため、本変形例でも、二次電池１α，１βの外装部３とのバスバー（接続部材）７１の干渉が防止され、二次電池１α，１βのそれぞれの対象端子（２７Ａ又は２７Ｂ）とのバスバー７１の接触面積が、大きく確保される。
【００７５】
また、図１４に示す第２の変形例では、二次電池１α，１β等の二次電池１のそれぞれに、装着部材５０が設けられていない。ただし、本変形例でも、電池本体２は、前述の実施形態等と同様の構成に、形成される。また、本変形例の電池パック７０でも、二次電池１α，１βは、積層方向について、互いに対して隣り合って配置される。そして、二次電池１αの第２の外装部材６は、二次電池１βの底壁７と対向する。本変形例でも、バスバー７１は、前述の実施形態等と同様にして、二次電池１α，１βの間を電気的に接続する。
【００７６】
なお、本変形例では、積層方向について二次電池１α，１βの間に、電気的に絶縁性を有する絶縁板（図示しない）が配置されることが、好ましい。この場合、二次電池１αの第２の外装部材６は、絶縁板を挟んで、二次電池１βの底壁７と対向する。このため、絶縁板によって、二次電池１αの第２の外装部材６への二次電池１βの第１の外装部材５の接触が、防止される。これにより、二次電池１α，１βの外装部３同士の接触が防止され、二次電池１α，１βの外装部３同士が電気的に接続されることが、有効に防止される。
【００７７】
また、ある変形例では、収納空間１１に複数の電極群が収納されてもよい。また、別のある変形例では、第２の外装部材６が、板状ではなく、第１の外装部材５と同様の底付きの筒状に形成される。この場合、第２の外装部材６も、底壁、側壁及びフランジを備える状態に、形成される。そして、第１の外装部材５のフランジ１３及び第２の外装部材６のフランジが、溶接部３５で、気密に溶接される。本変形例の二次電池１でも、溶接部３５によって、開口１２の周方向について全周に渡って、フランジ１３及び第２の外装部材６が気密に溶接される。そして、電極群１０が収納される収納空間１１は、外装部３の外部に対して密閉される。
【００７８】
これらの少なくとも一つの実施形態又は実施例によれば、接続部材は、積層方向に積層される２つの二次電池を接続する。二次電池のそれぞれは、積層方向に交差する第１の交差方向に沿う側壁、周方向について側壁が延設される範囲に設けられる端子、及び、側壁から外側へ突出するフランジを備える。接続部材の一対のコネクタ部のそれぞれは、二次電池の対応する一方において、積層方向及び第１の交差方向に交差する第２の交差方向について外側から、端子に面接触する。中継部は、段差によって、コネクタ部に比べて第２の交差方向について外側に位置し、二次電池の一方のフランジの外側を通って、コネクタ部の間を中継する。このため、２つの二次電池を電気的に接続する接続部材であって、端子同士を確実に接続し、かつ、端子以外の部分に干渉しない接続部材を提供することができる。
【００７９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2019234835.tif 000003
【図２】
2019234835.tif 000004
【図３】
2019234835.tif 000005
【図４】
2019234835.tif 000006
【図５】
2019234835.tif 000007
【図６】
2019234835.tif 000008
【図７】
2019234835.tif 000009
【図８】
2019234835.tif 000010
【図９】
2019234835.tif 000011
【図１０】
2019234835.tif 000012
【図１１】
2019234835.tif 000013
【図１２】
2019234835.tif 000014
【図１３】
2019234835.tif 000015
【図１４】
2019234835.tif 000016
【国際調査報告】
2019234835.tif 000017
2019234835.tif 000018
2019234835.tif 000019
2019234835.tif 000020